(57)【要約】【課題】サイド部の一部をセンター部に食い込ませることがなく、サイド部に欠肉部を生じさせることがないシートクッションの製造方法及び製造装置を提供すること。【解決手段】製造装置２における下型３は、シートクッション１のセンター部１１を成形するセンターキャビティ３１、一対のサイド部１２を成形する一対のサイドキャビティ３２、第２発泡ウレタン原料６２を注入する原料注入キャビティ３５、一対の原料流路３６及び一対の左右仕切部３３を有している。原料注入キャビティ３５の開口部３５１の内形は、第２注入ノズル５２の先端開口部５２１の内形よりも大きい。原料注入キャビティ３５と各原料流路３６との間には原料流出堰３７が形成されており、下型３は、第２発泡ウレタン原料６２を、原料貯留堰３７の上端から流出させて、各サイドキャビティ３２に互いに相重なるタイミングで流入させるよう構成されている。【選択図】図１
2005058466.tif 000002
【特許請求の範囲】
【請求項１】
第１注入ノズルから注入した液状の第１発泡ウレタン原料を発泡させてなるセンター部と、該センター部の左右側方の少なくとも一方に、上記第１発泡ウレタン原料とは異なる第２発泡ウレタン原料を第２注入ノズルから注入して発泡させてなるサイド部とを一体的に有してなるシートクッションを、成形型を用いて製造する方法において、
上記成形型は、上記シートクッションの表面側を成形する下型成形面を備えた下型と、該下型に対して開閉可能で、上記シートクッションの裏面側を成形する上型成形面を備えた上型とを有し、
上記下型は、上記センター部を成形するためのセンターキャビティと、上記サイド部を成形するためのサイドキャビティと、上記第２発泡ウレタン原料を注入するための原料注入キャビティと、該原料注入キャビティと上記サイドキャビティとをそれぞれ連通させる原料流路と、上記センターキャビティと上記サイドキャビティとの間に、上方に向けて突出形成した仕切部とを有しており、
上記原料注入キャビティの開口部の内形は、上記第２注入ノズルの吐出先端開口部の内形よりも大きくなっており、
上記シートクッションを製造するに当たっては、上記センターキャビティに上記第１発泡ウレタン原料を注入し、上記原料注入キャビティに上記第２発泡ウレタン原料を注入して、該第２発泡ウレタン原料を、上記原料注入キャビティから上記原料流路を経由して上記サイドキャビティに流入させ、
上記上型を閉じ、上記第１発泡ウレタン原料及び上記第２発泡ウレタン原料を発泡させると共に、これらを上記仕切部と上記上型の上型成形面との間に形成した各接合間隙又はその近傍において接合させることを特徴とするシートクッションの製造方法。
【請求項２】
請求項１において、上記サイドキャビティは、上記センターキャビティの左右両側に一対に形成されていることを特徴とするシートクッションの製造方法。
【請求項３】
請求項１又は２において、上記サイドキャビティは、幅広キャビティ部と、該幅広キャビティ部よりも左右方向の幅が狭い幅狭キャビティ部とを有しており、上記幅狭キャビティ部が上記原料流路により上記原料注入キャビティと連通していることを特徴とするシートクッションの製造方法。
【請求項４】
請求項１〜３のいずれか一項において、上記第２発泡ウレタン原料を、重力により上記原料注入キャビティから上記原料流路を経由して上記サイドキャビティへと流入させることを特徴とするシートクッションの製造方法。
【請求項５】
請求項２〜４のいずれか一項において、上記原料注入キャビティは、上記下型において１箇所に形成しておき、上記第２発泡ウレタン原料は、上記１箇所の原料注入キャビティから上記各原料流路に分岐させて流出させることを特徴とするシートクッションの製造方法。
【請求項６】
請求項２〜４のいずれか一項において、上記原料注入キャビティは、上記各サイドキャビティに対応して複数箇所に形成しておき、上記第２発泡ウレタン原料は、上記各原料注入キャビティから上記各原料流路に流出させることを特徴とするシートクッションの製造方法。
【請求項７】
請求項１〜６のいずれか一項において、上記上型を閉じる際には、上記原料流路と上記サイドキャビティとの間を遮蔽して、該サイドキャビティを閉塞することを特徴とするシートクッションの製造方法。
【請求項８】
請求項１〜６のいずれか一項において、上記原料注入キャビティ及び上記原料流路に形成した発泡体は、上記原料注入キャビティ及び上記原料流路から離型した後に切除することを特徴とするシートクッションの製造方法。
【請求項９】
第１注入ノズルから注入した液状の第１発泡ウレタン原料を発泡させてなるセンター部と、該センター部の左右側方の少なくとも一方に、上記第１発泡ウレタン原料とは異なる第２発泡ウレタン原料を第２注入ノズルから注入して発泡させてなるサイド部とを一体的に有してなるシートクッションを製造する装置において、
該製造装置は、上記シートクッションの表面側を成形する下型成形面を備えた下型と、該下型に対して開閉可能で、上記シートクッションの裏面側を成形する上型成形面を備えた上型とを有し、
上記下型は、上記センター部を成形するためのセンターキャビティと、上記サイド部を成形するためのサイドキャビティと、上記第２発泡ウレタン原料を注入するための原料注入キャビティと、該原料注入キャビティと上記サイドキャビティとをそれぞれ連通させる原料流路と、上記センターキャビティと上記サイドキャビティとの間に、上方に向けて突出形成した仕切部とを有しており、
上記原料注入キャビティの開口部の内形は、上記第２注入ノズルの吐出先端開口部の内形よりも大きくなっており、
上記仕切部は、上記上型を閉じた際に、上記上型の上型成形面との間に接合間隙をそれぞれ形成するよう構成されていることを特徴とするシートクッションの製造装置。
【請求項１０】
請求項９において、上記サイドキャビティは、上記センターキャビティの左右両側に形成されていることを特徴とするシートクッションの製造装置。
【請求項１１】
請求項９又は１０において、上記原料注入キャビティは、重力方向において上記サイドキャビティよりも高い位置に形成されていることを特徴とするシートクッションの製造装置。
【請求項１２】
請求項１０又は１１において、上記原料注入キャビティは、上記下型の１箇所に形成されており、上記原料流路は、上記１箇所の原料注入キャビティと上記各サイドキャビティとをそれぞれ連通させるよう一対に形成されていることを特徴とするシートクッションの製造装置。
【請求項１３】
請求項１０又は１１において、上記原料注入キャビティは、上記各サイドキャビティに対応して複数箇所に形成されており、上記原料流路は、上記各原料注入キャビティと上記各サイドキャビティとをそれぞれ連通させるよう形成されていることを特徴とするシートクッションの製造装置。
【請求項１４】
請求項９〜１３のいずれか一項において、上記上型の上型成形面には、上記上型を閉じた際に、上記原料流路と上記サイドキャビティとの間を遮蔽して該サイドキャビティを閉塞する閉塞突出部が形成されていることを特徴とするシートクッションの製造装置。
【発明の詳細な説明】
【技術分野】
【０００１】
本発明は、発泡ウレタンからなるセンター部と、このセンター部とは異なる物性の発泡ウレタンからなるサイド部とを有してなるシートクッションの製造方法及び製造装置に関する。
【背景技術】
【０００２】
車両等に用いられるシートは、発泡ウレタンからなるシートクッションを布等の表皮で覆って形成している。上記シートクッションは、乗員が着座する際に、乗員からの荷重を受けるセンター部と、乗員の着座姿勢を安定させるために、センター部の左右側方の少なくとも一方に一体的に形成したサイド部とを有している。そして、センター部とサイド部との硬度等の物性を異ならせて、より最適な着座感を得る工夫がなされている。
【０００３】
上記シートクッションを製造する際には、シートクッションの表面側を成形する下型と、下型に対して開閉可能でシートクッションの裏面側を成形する上型とを用いる。下型には、上記センター部を成形するためのセンターキャビティと、上記サイド部を成形するためのサイドキャビティとを形成しておく。そして、上記上型及び下型を用いてシートクッションを製造する際には、上記センターキャビティに第１の原料を注入し、上記サイドキャビティに上記第１の原料とは異なる第２の原料を注入して、上型を閉じ、これらの間で各原料を発泡させてシートクッションを得ている。
【０００４】
このようなシートクッションを製造する方法としては、例えば、特許文献１に示すものがある。この特許文献１においては、下型に形成したキャビティを、センターサポート部（センター部）を成形するための第１領域と、一対のサイドサポート部（サイド部）を成形するための第２領域とに区画している。また、サイドサポート部を、センターサポート部に隣接する内サポート部と、この内サポート部にさらに隣接する外サポート部とに分けて形成するために、上記第２領域を、隔壁部の突設によって外サポート部を成形するための外側領域と内サポート部を成形するための内側領域とに区画している。
また、上記外側領域の横幅はウレタン原料を注入する注入ノズルの注出口の外径よりも狭いため、この外側領域には、注入ノズルの注出口の外径よりも広い注入ポイントを形成している。
【０００５】
そして、上記第１領域と上記第２領域における内側領域には、中硬度ウレタン原料を注入すると共に、上記第２領域における外側領域には、高硬度ウレタン原料を注入し、中硬度ウレタンからなるセンターサポート部及び内サポート部と、高硬度ウレタンからなる外サポート部とを有するシートクッションを成形している。また、上記注入ポイントの形成により、上記横幅が狭い外側領域に上記高硬度ウレタン原料を確実に注入させることができる。
【０００６】
しかしながら、上記特許文献１においては、上記サイドサポート部を成形するための第２領域に上記注入ポイントを直接形成している。そのため、上記サイドサポート部は、上記注入ポイントに成形された高硬度ウレタンが、上記外サポート部から上記内サポート部に食い込んだ状態で成形されてしまう。
【特許文献１】特開２００１−３８７４７号公報
【発明の開示】
【発明が解決しようとする課題】
【０００７】
本発明は、かかる従来の問題点に鑑みてなされたもので、サイド部の幅が狭くてもサイド部の一部をセンター部に食い込ませることがなく、かつ、サイド部に欠肉部を生じさせることがないシートクッションの製造方法及び製造装置を提供しようとするものである。
【課題を解決するための手段】
【０００８】
第１の発明は、第１注入ノズルから注入した液状の第１発泡ウレタン原料を発泡させてなるセンター部と、該センター部の左右側方の少なくとも一方に、上記第１発泡ウレタン原料とは異なる第２発泡ウレタン原料を第２注入ノズルから注入して発泡させてなるサイド部とを一体的に有してなるシートクッションを、成形型を用いて製造する方法において、
上記成形型は、上記シートクッションの表面側を成形する下型成形面を備えた下型と、該下型に対して開閉可能で、上記シートクッションの裏面側を成形する上型成形面を備えた上型とを有し、
上記下型は、上記センター部を成形するためのセンターキャビティと、上記サイド部を成形するためのサイドキャビティと、上記第２発泡ウレタン原料を注入するための原料注入キャビティと、該原料注入キャビティと上記サイドキャビティとをそれぞれ連通させる原料流路と、上記センターキャビティと上記サイドキャビティとの間に、上方に向けて突出形成した仕切部とを有しており、
上記原料注入キャビティの開口部の内形は、上記第２注入ノズルの吐出先端開口部の内形よりも大きくなっており、
上記シートクッションを製造するに当たっては、上記センターキャビティに上記第１発泡ウレタン原料を注入し、上記原料注入キャビティに上記第２発泡ウレタン原料を注入して、該第２発泡ウレタン原料を、上記原料注入キャビティから上記原料流路を経由して上記サイドキャビティに流入させ、
上記上型を閉じ、上記第１発泡ウレタン原料及び上記第２発泡ウレタン原料を発泡させると共に、これらを上記仕切部と上記上型の上型成形面との間に形成した各接合間隙又はその近傍において接合させることを特徴とするシートクッションの製造方法にある（請求項１）。
【０００９】
本発明のシートクッションの製造方法は、センター部とサイド部との物性が異なるシートクッションを、サイド部の一部をセンター部に食い込ませることなく、かつ、サイド部に欠肉部を生じさせることなく製造することができるものである。
【００１０】
すなわち、本発明においては、上記シートクッションを製造するために、上記下型において、上記センターキャビティ及び上記サイドキャビティとは別に、上記第２発泡ウレタン原料を注入するための原料注入キャビティを形成しておく。また、この原料注入キャビティとサイドキャビティとを上記原料流路で連通させておく。
また、上記原料注入キャビティの開口部の内形は、上記第２注入ノズルの吐出先端開口部の内形よりも大きくしておく。
【００１１】
そして、上記シートクッションを製造するに当たっては、上記センターキャビティに上記第１発泡ウレタン原料を注入し、上記原料注入キャビティに上記第２発泡ウレタン原料を注入する。このとき、第２発泡ウレタン原料の注入は、上記第２注入ノズルの吐出先端開口部の内形よりも大きい内形を有する原料注入キャビティの開口部に対して行うことができる。そのため、上記下型への第２発泡ウレタン原料の供給が容易かつ確実になり、規定量の第２発泡ウレタン原料を確実に下型に供給することができる。
ここで、上記原料注入キャビティの開口部の内形が上記注入ノズルの吐出先端開口部の内形よりも大きい状態とは、原料注入キャビティの開口部に注入ノズルの吐出先端開口部を対向させたときに、注入ノズルの吐出先端開口部の内形の全体が原料注入キャビティの開口部の内側に位置することができる状態をいう。これにより、第２発泡ウレタン原料が原料注入キャビティに注入されずにこぼれてしまうことを防止することができる。
【００１２】
そして、上記原料注入キャビティに注入された第２発泡ウレタン原料は、この原料注入キャビティから上記原料流路に流出する。このとき、上記規定量が確実に供給された第２発泡ウレタン原料は、原料注入キャビティから原料流路を経由してサイドキャビティに流入させることができる。そのため、例えば、上記第２原料ノズルの内形よりも小さな左右方向の幅を有するサイドキャビティに対しても、上記第２発泡ウレタン原料を不足なく確実に流入させることができる。
【００１３】
そして、第２発泡ウレタン原料を発泡させたときには、この発泡後の第２発泡ウレタン原料により、サイドキャビティの全体を確実に充填することができる。
そのため、サイドキャビティにおいて、第２原料の充填不足のために生じる空隙である欠肉部の発生を防止でき、規定の形状を有するサイド部を成形することができる。
それ故、本発明によれば、サイド部の左右方向の幅が狭くてもサイド部の一部をセンター部に食い込ませることなく、かつサイド部に欠肉部を生じさせることなく、シートクッションを製造することができる。
【００１４】
第２の発明は、第１注入ノズルから注入した液状の第１発泡ウレタン原料を発泡させてなるセンター部と、該センター部の左右側方の少なくとも一方に、上記第１発泡ウレタン原料とは異なる第２発泡ウレタン原料を第２注入ノズルから注入して発泡させてなるサイド部とを一体的に有してなるシートクッションを製造する装置において、
該製造装置は、上記シートクッションの表面側を成形する下型成形面を備えた下型と、該下型に対して開閉可能で、上記シートクッションの裏面側を成形する上型成形面を備えた上型とを有し、
上記下型は、上記センター部を成形するためのセンターキャビティと、上記サイド部を成形するためのサイドキャビティと、上記第２発泡ウレタン原料を注入するための原料注入キャビティと、該原料注入キャビティと上記サイドキャビティとをそれぞれ連通させる原料流路と、上記センターキャビティと上記サイドキャビティとの間に、上方に向けて突出形成した仕切部とを有しており、
上記原料注入キャビティの開口部の内形は、上記第２注入ノズルの吐出先端開口部の内形よりも大きくなっており、
上記仕切部は、上記上型を閉じた際に、上記上型の上型成形面との間に接合間隙をそれぞれ形成するよう構成されていることを特徴とするシートクッションの製造装置にある（請求項９）。
【００１５】
本発明のシートクッションの製造装置は、センター部とサイド部との物性が異なるシートクッションを、サイド部の一部をセンター部に食い込ませることなく、かつ、サイド部に欠肉部を生じさせることなく製造することができるものである。
【００１６】
すなわち、本発明においては、上記シートクッションを製造するために、上記下型において、上記センターキャビティ及び上記サイドキャビティとは別に、上記第２発泡ウレタン原料を注入するための原料注入キャビティが形成してあり、この原料注入キャビティとサイドキャビティとは上記原料流路で連通させている。
また、上記原料注入キャビティの開口部の内形は、上記第２注入ノズルの吐出先端開口部の内形よりも大きくしておく。
【００１７】
そして、上記第２発泡ウレタン原料の注入は、上記第２注入ノズルの吐出先端開口部の内形よりも大きい開口部の内形を有する原料注入キャビティに対して行うことができ、規定量の第２発泡ウレタン原料を確実に下型に供給することができる。そのため、例えば、上記第２原料ノズルの内形よりも小さな左右方向の幅を有するサイドキャビティに対しても、第２発泡ウレタン原料を不足なく確実に流入させることができる。
【００１８】
それ故、本発明によっても、上記製造方法の発明と同様に、サイド部の一部をセンター部に食い込ませることなく、かつサイド部に欠肉部を生じさせることなく、シートクッションを製造することができる。
【発明を実施するための最良の形態】
【００１９】
上述した第１の発明のシートクッションの製造方法及び第２の発明のシートクッションの製造装置における好ましい実施形態につき説明する。
上記第１、第２の発明において、上記原料注入キャビティは、上記センターキャビティに隣接させてその前後方向における前方又は後方に形成することが好ましい。
【００２０】
上記第１の発明においては、上記サイドキャビティは、上記センターキャビティの左右両側に一対に形成されていることが好ましい（請求項２）。
この場合には、上記各サイドキャビティにそれぞれサイド部を成形して、センター部への食い込みがなく、かつ欠肉部がない一対のサイド部を有するシートクッションを製造することができる。
【００２１】
また、上記サイドキャビティは、幅広キャビティ部と、該幅広キャビティ部よりも左右方向の幅が狭い幅狭キャビティ部とを有しており、上記幅狭キャビティ部が上記原料流路により上記原料注入キャビティと連通していることが好ましい（請求項３）。
この場合は、幅広部とこの幅広部よりも左右方向の幅が狭い幅狭部とを有してなるサイド部を成形する場合である。そして、このように、幅狭部を有するサイド部であっても、その一部をセンター部に食い込ませることなく、かつ欠肉部を生じさせることなく成形することができる。
【００２２】
また、上記第２発泡ウレタン原料は、重力により上記原料注入キャビティから上記原料流路を経由して上記サイドキャビティへと流入させることが好ましい（請求項４）。
この場合には、上記原料注入キャビティからサイドキャビティへの第２発泡ウレタン原料の流入は、特別な装置等を設けることなく容易に行うことができる。
【００２３】
ここで、上記重力による第２発泡ウレタン原料のサイドキャビティへの流入は、上記下型において、上記原料注入キャビティをサイドキャビティよりも高い位置に形成しておくことにより実現することができる。また、上記重力による第２発泡ウレタン原料のサイドキャビティへの流入は、シートクッションの成形時に上記成形型の全体を傾斜させて、原料注入キャビティをサイドキャビティよりも高い位置にして実現することもできる。
【００２４】
また、上記サイドキャビティを一対に形成した場合には、上記原料注入キャビティは、上記下型において１箇所に形成しておき、上記第２発泡ウレタン原料は、上記１箇所の原料注入キャビティから上記各原料流路に分岐させて流出させることが好ましい（請求項５）。
この場合には、上記第２発泡ウレタン原料の注入は、１つの注入ノズルにより上記１箇所の原料注入キャビティに行うだけで済ませることができる。そのため、第２発泡ウレタン原料の注入が一層容易になる。また、この場合には、上記１箇所の原料注入キャビティから上記各原料流路に分岐して流出させた第２発泡ウレタン原料を、上記各サイドキャビティに同じタイミングで流入させることができる。
【００２５】
また、上記サイドキャビティを一対に形成した場合には、上記原料注入キャビティは、上記各サイドキャビティに対応して複数箇所に形成しておき、上記第２発泡ウレタン原料は、上記各原料注入キャビティから上記各原料流路に流出させることもできる（請求項６）。
この場合には、上記複数箇所の原料注入キャビティにそれぞれ第２発泡ウレタン原料を注入し、この第２発泡ウレタン原料を、各原料注入キャビティから各原料流路を通過させて各サイドキャビティに流入させることができる。
【００２６】
また、上記上型を閉じる際には、上記原料流路と上記各サイドキャビティとの間を遮蔽して、該サイドキャビティを閉塞することが好ましい（請求項７）。
この場合には、上記原料流路を経由して上記サイドキャビティに必要な量の第２発泡ウレタン原料を流入させた後に、原料流路とサイドキャビティとの間を遮蔽してこのサイドキャビティを閉塞し、このサイドキャビティに流入した第２発泡ウレタン原料が原料流路に逆流して発泡することを防止することができる。
そのため、サイドキャビティにおいて、発泡後にサイドキャビティを満たす最適な量の第２発泡ウレタン原料を流入させた状態で発泡させることができる。そのため、サイドキャビティにおいて、未充填の空隙である欠肉部が形成されることを一層容易かつ確実に防止することができる。
【００２７】
また、上記原料注入キャビティ及び上記原料流路に形成した発泡体は、上記原料注入キャビティ及び上記原料流路から離型した後に切除することもできる（請求項８）。
この場合には、上記シートクッションを成形した後に、上記原料注入キャビティ及び上記原料流路に形成した不要な発泡体を切除して、上記センター部及びサイド部を有してなるシートクッションを製造することができる。
【００２８】
また、上記第２の発明においては、上記サイドキャビティは、上記センターキャビティの左右両側に形成されていることが好ましい（請求項１０）。
この場合には、上記各サイドキャビティにそれぞれサイド部を成形して、センター部への食い込みがなく、かつ欠肉部がない一対のサイド部を有するシートクッションを製造することができる。
【００２９】
また、上記原料注入キャビティは、重力方向において上記サイドキャビティよりも高い位置に形成されていることが好ましい（請求項１１）。
この場合には、上記原料注入キャビティに注入した第２発泡ウレタン原料を、重力により上記原料流路を経由して上記サイドキャビティへと流入させることができる。そのため、この流入は、特別な装置等を設けることなく容易に行うことができる。
【００３０】
また、上記原料注入キャビティは、上記下型の１箇所に形成されており、上記原料流路は、上記１箇所の原料注入キャビティと上記各サイドキャビティとをそれぞれ連通させるよう一対に形成されていることが好ましい（請求項１２）。
この場合には、上記第２発泡ウレタン原料の注入は、１つの注入ノズルにより上記１箇所の原料注入キャビティに行うだけで済ませることができる。そのため、第２発泡ウレタン原料の注入が一層容易になる。
また、この場合には、上記１箇所の原料注入キャビティに注入した第２発泡ウレタン原料を、上記各原料流路に流出させ、この各原料流路から上記各サイドキャビティに同じタイミングで流入させることができる。
【００３１】
また、上記原料注入キャビティは、上記各サイドキャビティに対応して複数箇所に形成されており、上記原料流路は、上記各原料注入キャビティと上記各サイドキャビティとをそれぞれ連通させるよう形成されていることもできる（請求項１３）。
この場合には、上記複数箇所の原料注入キャビティにそれぞれ第２発泡ウレタン原料を注入し、この第２発泡ウレタン原料を、各原料注入キャビティから各原料流路を通過させて各サイドキャビティに流入させることができる。
【００３２】
また、上記上型の上型成形面には、上記上型を閉じた際に、上記原料流路と上記サイドキャビティとの間を遮蔽して該サイドキャビティを閉塞する閉塞突出部が形成されていることが好ましい（請求項１４）。
この場合には、上記原料流路を経由して上記サイドキャビティに必要な量の第２発泡ウレタン原料を流入させた後には、上記上型を閉じて上記閉塞突出部により原料流路とサイドキャビティとの間を閉塞し、サイドキャビティに流入した第２発泡ウレタン原料が原料流路に逆流して発泡することを防止することができる。
【００３３】
そのため、サイドキャビティにおいて、発泡後にサイドキャビティを満たす最適な量の第２発泡ウレタン原料を保持した状態で発泡させることができる。そのため、サイドキャビティにおいて、未充填の空隙である欠肉部が形成されることを一層容易に防止することができる。
【実施例】
【００３４】
以下に、図面を用いて本発明のシートクッションの製造方法及び製造装置にかかる実施例につき説明する。
（実施例１）
本例のシートクッション１は、図６、図７〜図９に示すごとく、第１注入ノズル５１から注入した液状の第１発泡ウレタン原料６１を発泡させてなるセンター部１１と、このセンター部１１の左右両側に形成され、上記第１発泡ウレタン原料６１とは異なる液状の第２発泡ウレタン原料６２を第２注入ノズル５２から注入して発泡させてなる一対のサイド部１２とを一体的に有してなる。本例の製造装置２は、上記シートクッション１を成形するための成形型２０を有しており、この成形型２０は、シートクッション１の表面側１０１を成形する下型成形面３０を備えた下型３と、この下型３に対して開閉可能で、シートクッション１の裏面側１０２を成形する上型成形面４０を備えた上型４とを有している。
【００３５】
上記下型３は、上記センター部１１を成形するためのセンターキャビティ３１と、上記一対のサイド部１２を成形するための一対のサイドキャビティ３２と、上記第２発泡ウレタン原料６２を注入するための原料注入キャビティ３５とを有している。また、上記下型３は、原料注入キャビティ３５と上記各サイドキャビティ３２とをそれぞれ連通させる一対の原料流路３６と、上記センターキャビティ３１と上記各サイドキャビティ３２との間に上方に向けてそれぞれ突出形成した一対の左右仕切部３３とを有している。
【００３６】
上記各左右仕切部３３は、上記上型４を閉じた際に、この上型４の上型成形面４０との間に接合間隙３９をそれぞれ形成するよう構成されている。
また、図１、図２、図４に示すごとく、上記原料注入キャビティ３５の開口部３５１の内形は、上記第２注入ノズル５２の先端開口部５２１の内形よりも大きくなっている。
【００３７】
また、図２、図４、図５に示すごとく、上記原料注入キャビティ３５と上記各原料流路３６との間には、上方に向けて突出した原料流出堰３７がそれぞれ形成されている。本例では、上記第２発泡ウレタン原料６２を上記原料注入キャビティ３５から上記各原料流路３６に流出させるための原料流出部３７１は、上記原料流出堰３７の上端に形成されている。
そして、図１、図２に示すごとく、本例の成形型２０は、各原料流出部３７１により、第２発泡ウレタン原料６２を原料注入キャビティ３５から各原料流路３６を経由して各サイドキャビティ３２に互いに相重なるタイミングで流入させることができるよう構成されている。
【００３８】
また、本例では、上記成形型２０を有する製造装置２を用いて、上記シートクッション１を製造する。このシートクッション１を製造するに当たっては、図４に示すごとく、上記センターキャビティ３１に上記第１発泡ウレタン原料６１を注入し、上記原料注入キャビティ３５に上記第２発泡ウレタン原料６２を注入して、この第２発泡ウレタン原料６２を、図２に示すごとく、上記原料注入キャビティ３５から上記各原料流路３６を経由して上記各サイドキャビティ３２に互いに相重なるタイミングで流入させる。
【００３９】
次いで、図６に示すごとく、上記上型４を閉じ、上記第１発泡ウレタン原料６１及び上記第２発泡ウレタン原料６２を発泡させると共に、これらを上記各左右仕切部３３と上記上型４の上型成形面４０との間に形成した各接合間隙３９又はその近傍において接合させる。こうして、センターキャビティ３１に上記センター部１１を成形すると共に各サイドキャビティ３２に上記サイド部１２をそれぞれ成形して、上記シートクッション１を成形することができる。
以下に、これを詳説する。
【００４０】
図１に示すごとく、本例の原料注入キャビティ３５は、上記センターキャビティ３１の前後方向Ｌにおける後方に隣接して形成されている。また、本例では、上記サイド部１２を左右対称の形状に形成するため、上記原料注入キャビティ３５は、左右のサイドキャビティ３２から略同一の位置に形成した。
また、図２に示すごとく、上記原料流路３６は、原料注入キャビティ３５の左右両側にそれぞれ形成されており、上記サイドキャビティ３２における後方端部３２３と連通されている。
【００４１】
また、図１に示すごとく、本例の原料注入キャビティ３５は、上記下型３において１箇所に形成されている。そして、図２に示すごとく、各原料流路３６は、上記１箇所の原料注入キャビティ３５と上記各サイドキャビティ３２とをそれぞれ連通させるよう一対に形成されている。これにより、上記第２発泡ウレタン原料６２は、上記１箇所の原料注入キャビティ３５から上記各原料流路３６に分岐させて流出させることができる。
【００４２】
また、図２、図４、図５に示すごとく、上記原料注入キャビティ３５は、重力方向において上記各サイドキャビティ３２よりも高い位置に形成されている。そして、各原料流路３６は、原料注入キャビティ３５と各サイドキャビティ３２とを連通させるよう傾斜状に形成されている。また、本例の原料流出堰３７は、その高さや形成位置を調整することにより原料注入キャビティ３５に注入した第２発泡ウレタン原料６２を、各サイドキャビティ３２の容積に応じた割合で各サイドキャビティ３２に分配して流入させるための分配手段として機能する。
また、センターキャビティ３１と原料注入キャビティ３５及び各原料流路３６との間には、後方壁３１１が形成されている。そして、原料注入キャビティ３５は、上記各原料流出堰３７及び後方壁３１１によって囲まれて形成されている。
【００４３】
また、上記のごとく、上記原料注入キャビティ３５の開口部３５１の内形は、上記第２注入ノズル５２の先端開口部５２１の内形よりも大きくなっている。さらに、本例では、上記原料注入キャビティ３５の開口部３５１の内形は、上記第２発泡ウレタン原料６２を注入するための第２注入ノズル５２から略柱状に吐出される第２発泡ウレタン原料６２の断面外形（太さ）よりも大きくなっている。
ここで、原料注入キャビティ３５の開口部３５１の内形が第２注入ノズル５２の吐出先端開口部５２１の内形よりも大きい状態とは、原料注入キャビティ３５の開口部３５１に第２注入ノズル５２の吐出先端開口部５２１を対向させたときに、第２注入ノズル５２の吐出先端開口部５２１の内形の全体が原料注入キャビティ３５の開口部３５１の内側に位置して、開口部３５１と第２注入ノズル５２との位置関係に多少の位置ズレがあっても、開口部３５１の外に第２発泡ウレタン原料６２がこぼれるのを防止できる状態をいう。
【００４４】
図１に示すごとく、本例の第２注入ノズル５２は、断面略円形を有しており、上記原料注入キャビティ３５の開口部３５１は略長方形状を有している。そして、図２、図４に示すごとく、原料注入キャビティ３５の開口部３５１における前後方向Ｌの長さＬ１及び左右方向Ｗの幅Ｗ１が、第２注入ノズル５２の吐出先端開口部５２１の内径Ｄ１よりも大きくなっている。
【００４５】
上記原料注入キャビティ３５の開口部３５１における前後方向Ｌの長さＬ１は、６０〜１００ｍｍとし、左右方向Ｗの幅Ｗ１は、６０〜１００ｍｍとした。また、第２注入ノズル５２の吐出先端開口部５２１の内径Ｄ１は、１０〜２０ｍｍであり、この第２注入ノズル５２から吐出される第２発泡ウレタン原料６２の外径Ｄ２は、１０〜５０ｍｍである。
なお、開口部３５１と第２注入ノズル５２との位置関係には、正規位置を０とすると±５ｍｍ程度の誤差が生じることがあるため、開口部３５１の長さＬ１と幅Ｗ１とは、第２発泡ウレタン原料６２の外径Ｄ２よりも１０ｍｍ以上大きく設定することがより好ましい。
【００４６】
また、図１、図２、図４、図６に示すごとく、上記原料注入キャビティ３５は、その開口部３５１の前後方向Ｌの長さＬ１及び左右方向Ｗの幅Ｗ１が、上記サイドキャビティ３２の幅狭キャビティ部３２２の左右方向Ｗの幅Ｗ３よりも大きくなるよう形成した。また、本例では、サイドキャビティ３２の幅広キャビティ部３２１の左右方向Ｗの幅Ｗ２が、サイドキャビティ３２の幅狭キャビティ部３２２の左右方向Ｗの幅Ｗ３よりも大きい。そして、原料注入キャビティ３５に注入された第２発泡ウレタン原料６２は、幅狭キャビティ部３２２を経由して幅広キャビティ部３２１に流入する。なお、幅広キャビティ部３２１の左右方向Ｗの幅Ｗ２は５〜２００ｍｍ、幅狭キャビティ部３２２の左右方向Ｗの幅Ｗ３は５〜１５ｍｍとすることができる。
【００４７】
また、図１、図２、図５に示すごとく、上記幅狭キャビティ部３２２は、サイドキャビティ３２の後方部分に形成されており、この幅狭キャビティ部３２２の後方端部３２３が原料流路３６により原料注入キャビティ３５と連通している。
また、図１、図３に示すごとく、上記上型４の上型成形面４０には、この上型４を閉じた際に、各原料流路３６と各サイドキャビティ３２の後方端部３２３との間を遮蔽して、各サイドキャビティ３２を閉塞する閉塞突出部４１がそれぞれ形成されている。
また、図１、図４に示すごとく、上記センターキャビティ３１においては、このセンターキャビティ３１を所定高さを有して前後に仕切る前後仕切部３４が形成されている。この前後仕切部３４は、センターキャビティ３１において、上方に向けて突出して形成されている。
【００４８】
図７〜図９に示すごとく、本例において成形するシートクッション１は、センター部１１とセンター部１１の左右両側に形成した一対のサイド部１２とを、センター部１１と各サイド部１２との間の接合部１５において一体的に接合してなるものである。センター部１１と各サイド部１２との間には、上記左右仕切部３３によって左右スリット１３が形成されている。また、センター部１１には、上記前後仕切部３４によって前後スリット１４が形成されている。これらの各スリット１３、１４の底には、図示しないワイヤが埋設される。このワイヤは、シートクッション１の表面側１０１を表皮で覆ってシートを形成する際に、上記表皮をシートクッション１に固定するためのものである。
【００４９】
また、図８、図９に示すごとく、本例の各サイド部１２は、上記幅広キャビティ部３２１によって成形される幅広部１２１と、この幅広部１２１よりも左右方向Ｗの幅が狭く、上記幅狭キャビティ部３２２によって成形される幅狭部１２２とを有している。具体的には、幅広部１２１の左右方向Ｗの幅は５〜２００ｍｍであり、幅狭部１２２の左右方向Ｗの幅は５〜１５ｍｍである。また、幅狭部１２２は、サイド部３２の後方部分に形成されている。
なお、上記製造装置２は、上記第１注入ノズル５１及び第２注入ノズル５２を有しており、これらの注入ノズル５１、５２に第１発泡ウレタン原料６１及び第２発泡ウレタン原料６２をそれぞれ供給するための原料タンク（図示略）を有している。
【００５０】
次に、上記製造装置２を用いてシートクッション１を製造する方法につき説明する。
上記シートクッション１を製造するに当たっては、図１、図４に示すごとく、上記センターキャビティ３１の上方に第１注入ノズル５１を配置し吐出先端開口部を型面に対向させ、この第１注入ノズル５１からセンターキャビティ３１内に第１発泡ウレタン原料６１を注入する。また、上記原料注入キャビティ３５の開口部３５１の上方に第２注入ノズル５２の吐出先端開口部５２１を配置して型面に対向させ、この第２注入ノズル５２から原料注入キャビティ３５内に第２発泡ウレタン原料６２を注入する。このとき、第２注入ノズル５２の吐出先端開口部５２１の内径Ｄ１及び第２発泡ウレタン原料６２の外径Ｄ２は、原料注入キャビティ３５の開口部３５１の前後方向Ｌの長さＬ１及び左右方向Ｗの幅Ｗ１よりも小さいため、第２注入ノズル５２から吐出させた第２発泡ウレタン原料６２を、原料注入キャビティ３５内に確実に注入することができる。そして、規定量の第２発泡ウレタン原料６２を確実に下型３に供給することができる。
【００５１】
そして、センターキャビティ３１に注入された第１発泡ウレタン原料６１は、センターキャビティ３１内を流動して発泡し、このセンターキャビティ３１内に広がっていく。
一方、図２に示すごとく、原料注入キャビティ３５に注入された第２発泡ウレタン原料６２は、原料注入キャビティ３５から左右の原料流出堰３７の上端を乗り越えて各原料流路３６に分岐して流出する。このとき、原料注入キャビティ３５は各サイドキャビティ３２及び各原料流路３６よりも重力方向において高い位置に形成されており、第２発泡ウレタン原料６２を重力により各原料流路３６に流出させることができる。
また、本例では、左右の原料流出堰３７は、互いに略同一の高さに突出形成されている。そのため、左右の原料流出堰３７の上端から左右の原料流路３６に流出する第２発泡ウレタン原料６２の流出流量を互いにほぼ同じ量とすることができる。
【００５２】
次いで、各原料流路３６に流出した第２発泡ウレタン原料６２は、この原料流路３６を滑らかに流下して、各サイドキャビティ３２の後方端部３２３から各サイドキャビティ３２へと流入する。本例では、各サイドキャビティ３２の容積を左右で略同一にしており、各原料流出堰３７の高さの左右で略同一にしているため、上記第２発泡ウレタン原料６２を、略同一容積の各サイドキャビティ３２に略同一流量で分配して流入させることができる。また、各サイドキャビティ３２には、略同一のタイミングで第２発泡ウレタン原料６２の流入を開始させることができる。
【００５３】
そのため、本例においては、上記１箇所の原料注入キャビティ３５内の１箇所に第２発泡ウレタン原料６２を注入するだけで、両サイドキャビティ３２に互いに相重なるタイミングで流入させることができ、一方のサイドキャビティ３２における第２発泡ウレタン原料６２が発泡を開始するタイミングと、他方のサイドキャビティ３２における第２発泡ウレタン原料６２が発泡を開始するタイミングとに時間差が生じることがほとんどなく、これらのタイミングをほぼ一致させることができる。
【００５４】
また、上記各原料流路３６から各サイドキャビティ３２への第２発泡ウレタン原料６２の流入は、各サイドキャビティ３２の幅狭キャビティ部３２２から行われる。そして、第２発泡ウレタン原料６２は、幅狭キャビティ部３２２を通過してから幅広キャビティ部３２１に流入する。そのため、特に、左右方向Ｗの幅Ｗ３が狭くて第２発泡ウレタン原料６２が充填されにくい幅狭キャビティ部３２２に、不足なく確実に第２発泡ウレタン原料６２を流入させることができる。
そして、第２発泡ウレタン原料６２が発泡したときには、この発泡後の第２発泡ウレタン原料６２により、各サイドキャビティ３２の全体を確実に充填することができる。そのため、各サイドキャビティ３２において、第２発泡ウレタン原料６２の充填不足のために生じる空隙である欠肉部の発生を確実に防止でき、規定の形状を有するサイド部１２を成形することができる。
【００５５】
また、上記第１発泡ウレタン原料６１及び第２発泡ウレタン原料６２を注入し、発泡後各サイドキャビティ３２をそれぞれ不足なく充填できる量の第２発泡ウレタン原料６２を各原料流路３６を経由して各サイドキャビティ３２に流入させた後に、上記上型４を下型３に対して閉じる。
このとき、図３に示すごとく、上型４の上型成形面４０に形成した各閉塞突出部４１が、各原料流路３６と各サイドキャビティ３２の後方端部３２３との間をそれぞれ遮蔽して各サイドキャビティ３２を閉塞する。また、上記後方壁３１１と上型成形面４０との間も遮蔽されて、センターキャビティ３１も閉塞される。
【００５６】
これにより、各サイドキャビティ３２に流入した第２発泡ウレタン原料６２が各原料流路３６に逆流して発泡することを防止することができる。
したがって、上記上型４を閉じて、各サイドキャビティ３２において第２発泡ウレタン原料６２を発泡させるとき、この第２発泡ウレタン原料６２は、各サイドキャビティ３２内で原料不足を生じたりすることがない。
【００５７】
そして、図６に示すごとく、センターキャビティ３１において発泡する第１発泡ウレタン原料６１と、各サイドキャビティ３２において発泡する第２発泡ウレタン原料６２とを、上記各左右仕切部３３と上記上型４の上型成形面４０との間に形成した各接合間隙３９又はその近傍で接合させて、各接合間隙３９又はその近傍に第１発泡ウレタン原料６１と第２発泡ウレタン原料６２との接合部１５を形成することができる。
言い換えれば、一度の注入で両サイドキャビティ３２にほぼ同時に第２発泡ウレタン原料６２を流入させることができる。そのため、センターキャビティ３１において発泡する第１発泡ウレタン原料６１と各サイドキャビティ３２において発泡する第２発泡ウレタン原料６２とが発泡するタイミングを調整することが容易となり、いずれかのサイドキャビティ３２における第２発泡ウレタン原料６２が、センターキャビティ３１内に浸入して発泡したり、逆にセンターキャビティ３１内における第１発泡ウレタン原料６１が、いずれかのサイドキャビティ３２内に浸入して発泡したりすることを防止することができる。
【００５８】
そして、上記センターキャビティ３１においては、上記第１発泡ウレタン原料６１から所定の形状のセンター部１１を成形することができ、上記各サイドキャビティ３２においては、上記第２発泡ウレタン原料６２から所定の形状の各サイド部１２を成形することができる。
それ故、本例によれば、第１発泡ウレタン原料６１によるセンター部１１と第２発泡ウレタン原料６２による各サイド部１２との間の各接合部１５を、左右均等に形成したシートクッション１を製造することができる。
【００５９】
また、上記のごとく、上記第２発泡ウレタン原料６２の注入は各サイドキャビティ３２とは異なる原料注入キャビティ３５に行っているため、上記各サイド部１２は、これを構成する第２発泡ウレタンの一部がセンター部１１に食い込んだ状態で成形されることがない。
それ故、本例によれば、サイド部１２の一部をセンター部１１に食い込ませることなく、かつサイド部１２に欠肉部を生じさせることなく、シートクッション１を製造することができる。
【００６０】
なお、上記原料注入キャビティ３５に注入する第２発泡ウレタン原料６２の時間当りの注入量は、当該第２発泡ウレタン原料６２が液体の状態で原料注入キャビティ３５から流出する量よりも多い量とした。そのため、原料注入キャビティ３５に注入した液体状態の第２発泡ウレタン原料６２を、原料注入キャビティ３５内に一時的に貯留させ、原料注入キャビティ３５から確実に流出させることができる。そして、各サイドキャビティ３２に、発泡後に各サイドキャビティ３２を満たす適切な量の第２発泡ウレタン原料６２を流入させることができる。
【００６１】
また、本例の製造装置２において成形したシートクッション１は、シートの座部に使用されるものである。そして、上記センター部１１は、シートに着座する着座者の臀部から加わる荷重を受けるものであり、上記一対のサイド部１２は、上記着座者の臀部及び大腿部の付近を左右から支持して着座者の姿勢を支えることができるものである。これに対し、図１０に示すごとく、上記製造装置２においては、シートの背もたれ部に使用するシートクッション１（シートバックともいう）を成形することもできる。この場合には、上記センター部１１は、着座者の背中から加わる荷重を受け、上記一対のサイド部１２は、着座者の上半身を左右から支持して着座者の姿勢を支えることができる。
【００６２】
また、図１０に示すごとく、上記背もたれ部に使用されるシートクッション１におけるセンター部１１は、その前後方向Ｌに伸びるセンタースリット１３１を有している。
そして、このシートクッション１におけるサイド部１２は、その全体における左右方向Ｗの幅を５〜２００ｍｍとすることができる。そして、上記座部に使用するシートクッション１におけるサイド部１２と同様に、左右方向Ｗの幅が小さなサイド部１２であっても、上記原料注入キャビティ３５に第２発泡ウレタン原料６２を注入し、これを原料流路３６を経由させてサイドキャビティ３２に流入させることにより、欠肉部を生じることなく成形することができる。
【００６３】
また、本例においては、上記サイドキャビティ３２は、上記センターキャビティ３１の左右両側に一対に形成したが、これに対し、サイドキャビティ３２は、センターキャビティ３１の左右側方の一方だけに形成することもできる。この場合には、センター部１１の左右側方の一方にサイド部１２を一体的に接合してなるシートクッション１を成形することができる。
【００６４】
また、上記上型４の上型成形面４０には上記閉塞突出部４１を形成しないでおくこともできる。この場合には、上記原料注入キャビティ３５及び上記各原料流路３６で成形された発泡体１９（図１参照）を、シートクッション１と一体となった状態で成形型２０から取り出した後に切除することができるため、成形品の型からの取出しを効率よく行うことができる。
【００６５】
（実施例２）
本例は、図１１に示すごとく、上記実施例１における原料流出堰３７を形成する代わりに、上記原料注入キャビティ３５と各原料流路３６との間に上方に向けて突出した原料貯留堰３８をそれぞれ形成すると共に、この各原料貯留堰３８の下端に上記実施例１における原料流出部３７１に相当する原料流出口３８１をそれぞれ形成した例である。そして、本例では、第２発泡ウレタン原料６２を各原料貯留堰３８の間に位置する原料注入キャビティ３５に貯留しながら、この第２発泡ウレタン原料６２を各原料流出口３８１から所定の流量で各原料流路３６へと流出させる。
【００６６】
また、図１１に示すごとく、本例の原料貯留堰３８は、原料注入キャビティ３５と各原料流路３６との間に、上下にスライド可能に配設されている。そして、各原料貯留堰３８の上下方向の位置を調節することにより、各原料流出口３８１の開口面積を調節することができる。そして、この開口面積の調節により、各原料流出口３８１から各原料流路３６に流出させる第２発泡ウレタン原料６２の流出流量Ｑ２、Ｑ３を調節することができる。
そして、本例では、右側の原料流出口３８１を通過させる第２発泡ウレタン原料６２の流出流量Ｑ２と、左側の原料流出口３８１を通過させる第２発泡ウレタン原料６２の流出流量Ｑ３との和Ｑ２＋Ｑ３は、上記第２注入ノズル５２から原料注入キャビティ３５に注入する第２発泡ウレタン原料６２の注入流量Ｑ１よりも小さくした（Ｑ１＞Ｑ２＋Ｑ３）。
【００６７】
そして、第２注入ノズル５２からは、上記流出流量の和Ｑ２＋Ｑ３よりも多い注入流量Ｑ１で第２発泡ウレタン原料６２を原料注入キャビティ３５に注入することにより、当該第２発泡ウレタン原料６２を、各原料貯留堰３８同士の間に一旦貯留しながら、各原料流出口３８１から上記各原料流路３６に流出させることができる。そのため、各原料流出口３８１からの第２発泡ウレタン原料６２の流出流量Ｑ２、Ｑ３を安定させることができる。
【００６８】
また、上記原料注入キャビティ３５の底部は、左右方向Ｗの中心部に形成した頂点部３５２と、この頂点部３５２から左右に下降傾斜する傾斜面３５３とを有している。また、各原料流路３６の底面も傾斜して形成されており、原料注入キャビティ３５の傾斜面３５３から連続して形成されている。これにより、第２発泡ウレタン原料６２を原料注入キャビティ３５から各原料流路３６へと一層滑らかに流出させることができる。
【００６９】
なお、上記各サイドキャビティ３２の容積が左右で異なるときには、この異なる容積に応じて、上記各原料貯留堰３８を上方又は下方にスライドさせてその位置を調節することができる。そして、サイドキャビティ３２の互いに異なる容積に応じて上記各原料流出口３８１の開口面積を調節し、各サイドキャビティ３２への第２発泡ウレタン原料６２の流入量を調節することができる。これにより、左右のサイドキャビティ３２の容積が異なる場合でも、各サイドキャビティ３２に略同一のタイミングで第２発泡ウレタン原料６２の流入を開始させることができ、センター部１１の左右において、略均等に上記各接合部１５を形成することができる。
その他は、本例においても、上記実施例１と同様であり、上記実施例１と同様の作用効果を得ることができる。
【００７０】
（実施例３）
本例は、図１２、図１３に示すごとく、上記原料注入キャビティ３５を１箇所だけではなく、複数箇所に形成した例である。本例の原料注入キャビティ３５は、上記左右のサイドキャビティ３２にそれぞれ連通して形成されている。具体的には、原料注入キャビティ３５は、各サイドキャビティ３２の側方に形成されており、各サイドキャビティ３２の側方において各サイドキャビティ３２と各原料注入キャビティ３５とが各原料流路３６によって連通されている。
【００７１】
そして、本例では、図１２、図１３に示すごとく、上記第２発泡ウレタン原料６２は、上記各原料注入キャビティ３５からそれぞれ別々に各原料流路３６に流出させ、その後、各原料流路３６から各サイドキャビティ３２に流入させることができる。
また、本例の各サイドキャビティ３２も、上記実施例１と同様に、上記幅広部１２１を成形するための幅広キャビティ部３２１と、上記幅狭部１２２を成形するための幅狭キャビティ部３２２とを有している。そして、各サイドキャビティ３２の側方に形成した各原料流路３６は、各サイドキャビティ３２の幅狭キャビティ部３２２に連通している。
【００７２】
そのため、本例においても、各原料流路３６から各サイドキャビティ３２への第２発泡ウレタン原料６２の流入は、幅狭キャビティ部３２２を通過してから幅広キャビティ部３２１へと行われる。そのため、第２発泡ウレタン原料６２を各サイドキャビティ３２の全体に確実に充填することができ、各サイドキャビティ３２において、第２発泡ウレタン原料６２の充填不足のために生じる空隙である欠肉部の発生を確実に防止することができる。
その他は、本例においても、上記実施例１と同様であり、上記実施例１と同様の作用効果を得ることができる。
【図面の簡単な説明】
【００７３】
【図１】実施例１における、シートクッションの製造装置を示す平面図。
【図２】実施例１における、第２発泡ウレタン原料を注入した状態のシートクッションの製造装置を示す図で、図１におけるＡ−Ａ線矢視断面図。
【図３】実施例１における、上型を閉じた状態のシートクッションの製造装置を示す図で、図１におけるＡ−Ａ線矢視断面図。
【図４】実施例１における、第１発泡ウレタン原料及び第２発泡ウレタン原料を注入した状態のシートクッションの製造装置を示す図で、図１におけるＢ−Ｂ線矢視断面図。
【図５】実施例１における、シートクッションの製造装置を示す図で、図１におけるＣ−Ｃ線矢視断面図。
【図６】実施例１における、シートクッションを成形した状態のシートクッションの製造装置を示す図で、図１におけるＤ−Ｄ線矢視断面図。
【図７】実施例１における、シートクッションを示す斜視図。
【図８】実施例１における、シートクッションを示す図で、図７におけるＥ−Ｅ線矢視断面図。
【図９】実施例１における、シートクッションを示す図で、図７におけるＦ−Ｆ線矢視断面図。
【図１０】実施例１における、背もたれ部に使用するシートクッションを示す斜視図。
【図１１】実施例２における、原料注入キャビティに第２発泡ウレタン原料を注入している状態を示す図で、図１におけるＡ−Ａ線矢視相当の拡大断面図。
【図１２】実施例３における、シートクッションの製造装置を示す平面図。
【図１３】実施例３における、第２発泡ウレタン原料を注入した状態のシートクッションの製造装置を示す図で、図１２におけるＧ−Ｇ線矢視断面図。
【符号の説明】
【００７４】
１  シートクッション
１１  センター部
１２  サイド部
１２１  幅広部
１２２  幅狭部
１５  接合部
２  製造装置
２０  成形型
３  下型
３０  下型成形面
３１  センターキャビティ
３２  サイドキャビティ
３２１  幅広キャビティ部
３２２  幅狭キャビティ部
３３  左右仕切部
３５  原料注入キャビティ
３５１  開口部
３６  原料流路
３７  原料流出堰
３７１  原料流出部
３８  原料貯留堰
３８１  原料流出口
３９  接合間隙
４  上型
４０  上型成形面
４１  閉塞突出部
５１  第１注入ノズル
５２  第２注入ノズル
５２１  先端開口部
６１  第１発泡ウレタン原料
６２  第２発泡ウレタン原料
Ｌ  前後方向
Ｗ  左右方向
【図１】
2005058466.tif 000003
【図２】
2005058466.tif 000004
【図３】
2005058466.tif 000005
【図４】
2005058466.tif 000006
【図５】
2005058466.tif 000007
【図６】
2005058466.tif 000008
【図７】
2005058466.tif 000009
【図８】
2005058466.tif 000010
【図９】
2005058466.tif 000011
【図１０】
2005058466.tif 000012
【図１１】
2005058466.tif 000013
【図１２】
2005058466.tif 000014
【図１３】
2005058466.tif 000015